(57)【要約】【課題】  ケーブルの固定が容易に行えるケーブル取付用部材を提供する。【解決手段】  複数の筒体が一体成形された、弾性を有するケーブル取付用部材であって、筒体の長さ方向に設けられ、筒体の中へ挿入されるケーブルを通す開放部と、筒体の内壁に形成された一又は複数の溝と、溝の中に備えられ、その中に接着剤を収納し、筒体に収容されるケーブルを介する押圧力によって破裂して接着剤を流出させるカプセルとを有し、流出した接着剤によりケーブルを固定する。【選択図】図１
2015204669.tif 000002
【特許請求の範囲】
【請求項１】
複数の筒体が一体成形された、弾性を有するケーブル取付用部材であって、
該筒体の長さ方向に設けられ、該筒体の中へ挿入されるケーブルを通す開放部と、
該筒体の内壁に形成された一又は複数の溝と、
該溝の中に備えられ、その中に接着剤を収納し、該筒体に収容される該ケーブルを介する押圧力によって破裂して該接着剤を流出させるカプセルとを有し、
流出した該接着剤により該ケーブルを固定することを特徴とするケーブル取付用部材。
【請求項２】
前記ケーブル取付用部材の材料は天然ゴム又はポリエチレン、ポリウレタン等の合成樹脂であり、
前記押圧力によって破裂した前記カプセルから流出した前記接着剤が、前記溝に充満して前記ケーブルと前記ケーブル取付用部材とを接着して固定することを特徴とする請求項１に記載のケーブル取付用部材。
【請求項３】
前記カプセルは、その中に、接着剤を収納した多数の微細なカプセルを収納して構成されることを特徴とする請求項１又は２に記載のケーブル取付用部材。
【請求項４】
前記筒体の長さ方向に間隔を空けて、細長い形状の前記溝が形成されていることを特徴とする請求項1ないし３のいずれかの項に記載のケーブル取付用部材。
【請求項５】
前記筒体の円周方向に間隔を空けて、細長い形状の前記溝が形成されていることを特徴とする請求項1ないし３のいずれかの項に記載のケーブル取付用部材。
【発明の詳細な説明】
【技術分野】
【０００１】
本発明は、ケーブルの収束・固定に使用されるケーブル取付用部材に関するものである。
【背景技術】
【０００２】
従来、ケーブル類やホース類を束ねたり固定するために、例えば特許文献１に開示されるような集束保持具が利用されている。
【先行技術文献】
【特許文献】
【０００３】
【特許文献１】特開２００５−６６６８１号公報
【発明の概要】
【発明が解決しようとする課題】
【０００４】
特許文献１に開示されるケーブルの集束保持具は、暫定的にケーブルを保持するものであり、恒久的に保持するためには、ケーブルをこの保持具から外して、束線バンド等で結束し直す必要がある。従って、ケーブルの束線箇所が多数ある場合には、この取り外し及び再結束作業には多大な工数が必要となる。
【０００５】
また、ケーブルをこの保持具から外さないで、保持具のケーブル取付部分を接着剤等で接着してケーブルと固定しようとしても、保持具の構造上、接着作業が非常に困難である。例え、接着できたとしても、接着剤が接着部から外に漏れ出す恐れがある。
【０００６】
本発明の目的は、複数本のケーブルの集束を容易に固定することができるケーブル取付用部材を提供することである。
【課題を解決するための手段】
【０００７】
本発明は、複数の筒体が一体成形された、弾性を有するケーブル取付用部材であって、筒体の長さ方向に設けられ、筒体の中へ挿入されるケーブルを通す開放部と、筒体の内壁に形成された一又は複数の溝と、溝の中に備えられ、その中に接着剤を収納し、筒体に収容されるケーブルを介する押圧力によって破裂して接着剤を流出させるカプセルとを有し、流出した接着剤によりケーブルを固定することを特徴とするケーブル取付用部材として実現することができる。
【発明の効果】
【０００８】
本発明によれば、取付用部材を用いて、複数本のケーブルを容易に接着して固定することができる。
【図面の簡単な説明】
【０００９】
【図１】一実施形態のケーブル取付用部材を示す斜視図である。
【図２】一実施形態のケーブル取付用部材を示す正面図と側面図である。
【図３】一実施形態のケーブル取付用部材によるケーブル実装状態を示す図である。
【図４】一実施形態のケーブル取付用部材によるケーブル実装の手順を示す図である。
【図５】他の実施形態に係るケーブル取付用部材を示す斜視図と正面図である。
【図６】他の実施形態に係るケーブル取付用部材を示す斜視図と側正面図である。
【図７】他の実施形態に係るケーブル取付用部材を示す斜視図と正面図である。
【発明を実施するための形態】
【実施例】
【００１０】
以下、本発明の実施例を図面に基づいて説明する。  
図１は実施例に係るケーブル取付用部材の斜視図であり、この部材は、ケーブルを集束及び固定する用途に使用される。この取付用部材の材料は、天然ゴム、ポリエチレン、ポリウレタン等の弾性を有する絶縁性の樹脂である。なお、この取付用部材は長尺で一体成形のため、用途に合わせ必要な長さに切断可能である。実際に使用される際には１００ｍｍ程度の長さに切断される。また、ケーブルの外径は５０〜１００ｍｍ程度が望ましく、ケーブルの種類としては、ゴム材料で被覆された丸形ケーブルが対象である。
【００１１】
またこの取付用部材は、図１の通り、長さ方向に連続する開放部５ａと５ｂを備える２個の筒体１ａと１ｂが連結部７を介して背中合わせに一体成形されている。筒体１ａと１ｂの内径は収容して保持すべきケーブルの外径に対応しケーブルの外径とほぼ同一に設定される。
開放部５ａと５ｂは筒体１ａと１ｂの上において、連結部７の対称位置に形成されており、取付用部材の長さ方向に直線的に延設されている。また、筒体の開放終端部６ａと６ｂは、他の部分より肉厚に形成され、受け入れるケーブルの保持強度を高めている。
【００１２】
また、筒体１ａと１ｂの内壁２ａと２ｂの中央長手方向に幅と深さが約数ｍｍ程度の細長い溝３ａと３ｂ（３ｂは図に記載せず）が掘ってあり、その溝の中に一又は複数の接着剤カプセル４ａと４ｂが配されている。このカプセルは、多数の微細なマイクロカプセル（登録商標）（直径約数十μm〜数百μm）を格納しており、各マイクロカプセルの中にゴム系の接着剤が包含されている。マイクロカプセルの材質はメラミン樹脂やウレタン樹脂等で気密性に優れているため、マイクロカプセルが破裂するまでは、接着剤が乾燥しない状態に維持されている。
【００１３】
使用時は、集束対象のケーブル８ａと８ｂが、図４（ａ）のように、開放部５ａ及び５ｂから連結部７方向に押し込まれる。この場合、取付用部材の適度な弾力により、開放部５ａと５ｂが連結部７を基点として若干開放されてケーブル８を受け入れ可能となる。そして、受け入れたケーブル８ａと８ｂは肉厚の開放終端部６ａと６ｂによって内向きに押圧されて保持される。また、取付用部材は、連結部７を介して、ケーブル８ａとケーブル８ｂを離間して配置することが可能となる。
【００１４】
更に、暫定的な保持を終わらせて、ケーブル８ａと８ｂを筒体１ａと１ｂに固定する場合は、ケーブル８ａと８ｂを連結部７方向に更に強く押すことにより、接着剤カプセル４ａと４ｂの中の多数の微細なマイクロカプセルが破裂して、中に包含された接着剤が流出して溝３ａと３ｂを充填し、ケーブル８ａ、８ｂと筒体１ａ、１ｂが接着固定される。筒体１ａと１ｂから接着剤が外部に流れ出す可能性があるが、これに対しては、溝３ａと３ｂの中に接着剤が拘束されるため、取付部材外部へ接着剤が流出することを防止できる。
【００１５】
図２は実施例に係るケーブル取付部材の正面図（ａ）と側面図（ｂ）を示す。  
図３は、ケーブル８ａと８ｂが取付用部材１ａと１ｂに装着された斜視図である。  
図４（ａ）（ｂ）（ｃ）は、ケーブル８ａと８ｂが筒体１ａと１ｂに装着されて接着されるまでの経過を示した正面図である。図４の（ａ）で装着が開始され、（ｂ）で装着が完了するが、この段階では、ケーブル８ａと８ｂが筒体１ａと１ｂの中に収納されているが、強く押しつけられてはいないため、まだ、ケーブル接着剤のカプセル４ａと４ｂは破裂していない。しかし、接着する時には、作業者がケーブル８ａと８ｂを連結部７の方向に強く押すことにより、カプセル４ａと４ｂが破裂してマイクロカプセルに包含された接着剤が溝３ａと３ｂに流出し、ケーブル８ａ、８ｂと筒体１ａ、１ｂが接着される。
【００１６】
図５は、筒体を２個から４個にふやした変形例であり、多数のケーブルをまとめて保持したい場合に適する。また、筒体の個数は２個と４個に限定されず、３個、５個、６個等製作可能な限り、用途と必要に応じて増加させても良い。
【００１７】
また、ケーブル取付用部材の大きさや、設置位置等に応じて、細長溝の位置や個数を変えても良い。
【００１８】
例えば、外径の大きなケーブルを保持する取付用部材は寸法が大きくなるので、接着箇所を多くする必要があるため、細長溝の個数を多くするのが望ましい。
また、ケーブルが水平に設置される場合には、細長溝に流出した接着剤が万一あふれて外部に漏れることを考慮すると、細長溝の長さ方向を重力の方向にしない方が良いため、図６のように、細長溝を取付部材の長さ方向に設置する方が望ましい。
【００１９】
また、ケーブルが垂直に設置される場合には、図７のように、細長溝を取付部材の円周方向に設置する方が望ましい。  
筒体１は、その弾力により、ケーブル８を内部に保持する役割を果たすため、断面形状は、厳密な円形でなくても良い。例えば、断面形状が六角形等の多角形や楕円形等の筒体であっても良い。
【符号の説明】
【００２０】
１ａ，１ｂ：筒体
２ａ，２ｂ：筒体の内壁
３ａ，３ｂ：細長溝
４ａ，４ｂ：接着剤カプセル
５ａ，５ｂ：開放部
７        ：連結部
８ａ，８ｂ：ケーブル
【図１】
2015204669.tif 000003
【図２】
2015204669.tif 000004
【図３】
2015204669.tif 000005
【図４】
2015204669.tif 000006
【図５】
2015204669.tif 000007
【図６】
2015204669.tif 000008
【図７】
2015204669.tif 000009